(57)【要約】【課題】より精度の高いチャネルクロック信号を生成することができ、動作を安定させてチャネルクロック信号を得るために必要な整定時間を短くすることができる光ディスク記録装置を得る。【解決手段】制御回路３８によって、逓倍モード位相比較器３１からの誤差信号Ｓｏ１、初期引き込みモード位相比較器３２からの誤差信号Ｓｏ２及び書き込みモード位相比較器３３からの誤差信号Ｓｏ３のチャージポンプ回路３５への出力を、ウォブル信号ＷＯＢ又はランドプリピット信号ＬＰＰの状態に応じて自動的に切り換えるようにした。【選択図】  図２
2004178743.tif 000002
【特許請求の範囲】
【請求項１】
光ディスクにデータの記録を行う際のデータ書き込みタイミングを得るために使用する書き込み用基準クロック信号を生成するクロック信号生成部を備えた、データ書き込み可能な光ディスクに対して角速度一定方式で情報の記録を行う光ディスク記録装置において、
上記クロック信号生成部は、
入力された制御電圧に応じた周波数の前記書き込み用基準クロック信号を生成して出力する電圧制御発振部と、
外部から入力された所定の基準クロック信号を分周した信号と、前記書き込み用基準クロック信号を分周した信号との位相及び周波数を比較し、該比較結果を示す第１の誤差信号を出力する第１の比較部と、
前記光ディスクにあらかじめ記録されているウォブル信号と、前記書き込み用基準クロック信号を分周した信号との位相及び周波数を比較し、該比較結果を示す第２の誤差信号及び周波数差を示す第１の周波数差信号をそれぞれ出力する第２の比較部と、
光ディスクの種類に応じて、前記ウォブル信号又は前記光ディスクにあらかじめ記録されている信号と、前記書き込み用基準クロック信号を分周した信号との位相及び周波数を比較し、該比較結果を示す第３の誤差信号及び周波数差を示す第２の周波数差信号をそれぞれ出力する第３の比較部と、
入力された制御信号に応じて、前記第１から第３の各比較部からの第１から第３の各誤差信号のいずれか１つを選択して排他的に出力する選択回路部と、
該選択回路部の出力信号から前記制御電圧を生成して電圧制御発振部に出力する制御電圧生成部と、
前記第１及び第２の各周波数差信号に応じて該選択回路部の動作制御を行う制御回路部と、
を備えることを特徴とする光ディスク記録装置。
【請求項２】
前記制御回路部は、動作開始時の初期動作として、選択回路部に対して所定の時間ｔ０の間、前記第１の誤差信号を選択して排他的に出力させることを特徴とする請求項１記載の光ディスク記録装置。
【請求項３】
前記制御回路部は、動作開始時から所定の時間ｔ０が経過すると、前記選択回路部に対して前記第２の誤差信号を選択して排他的に出力させることを特徴とする請求項２記載の光ディスク記録装置。
【請求項４】
前記制御回路部は、前記第２の比較部からの第１の周波数差信号が示す周波数差が所定の設定値α以下になると、前記選択回路部に対して前記第３の誤差信号を選択して排他的に出力させることを特徴とする請求項１、２又は３記載の光ディスク記録装置。
【請求項５】
前記制御回路部は、前記第３の比較部からの第２の周波数差信号が示す周波数差が前記設定値αよりも小さい所定の設定値β以上になると、前記選択回路部に対して前記第２の誤差信号を選択して排他的に出力させることを特徴とする請求項４記載の光ディスク記録装置。
【請求項６】
前記制御回路部は、光ディスクヘのデータ記録時におけるトラッキングを検出し、動作開始時から所定の時間ｔ０経過後、トラッキングが外れている状態を検出すると、前記選択回路部に対して所定の時間ｔ１の間、誤差信号の出力を停止させることを特徴とする請求項３、４又は５記載の光ディスク記録装置。
【請求項７】
前記制御回路部は、前記所定の時間ｔ１経過後、前記選択回路部に対して前記第１の誤差信号を選択して排他的に出力させることを特徴とする請求項６記載の光ディスク記録装置。
【請求項８】
前記制御回路部は、前記所定の時間ｔ１以内にトラッキング状態になると、前記選択回路部に対して前記第２の誤差信号を選択して排他的に出力させることを特徴とする請求項６又は７記載の光ディスク記録装置。
【発明の詳細な説明】
【０００１】
【発明の属する技術分野】
本発明は、ＣＤ−Ｒ／ＲＷ、ＤＶＤ＋ＲＷ／＋Ｒ、ＤＶＤ−Ｒ／ＲＷ等の光ディスクにデータの記録を行う光ディスク記録装置に関し、特に、角速度一定（ＣＡＶ）記録方式を用いた光ディスク記録装置に関する。
【０００２】
【従来の技術】
従来の光ディスク記録装置では、光ディスクへの記録方式に線速度一定（ＣＬＶ）方式が用いられてきた。ＣＬＶ方式では、記録再生の基準となるチャネルクロック信号は、ディスクの半径位置によらず一定であるため、水晶等を使用して生成された外部からの一定の基準クロック信号から前記チャネルクロック信号を生成していた。一方、近年、光ディスクへの記録速度の高速化や消費電力の低減を図るために、角速度一定（ＣＡＶ）方式による記録方式がＤＶＤの記録に関する規格に採用されるようになり、ＣＡＶ方式でデータ読み出しを行う光ディスク装置が提案されている（例えば、特許文献１及び特許文献２参照。）。
【０００３】
【特許文献１】
特開２００１−６２９７号公報
【特許文献２】
特開２０００−１７３１９５号公報
【０００４】
【発明が解決しようとする課題】
しかし、ＣＡＶ方式を用いた光ディスク記録装置では、チャネルクロック信号はディスクの回転数に同期させる必要があるため、光ディスクから得られたウォブル信号を取り込み、ＰＬＬの基準信号としてチャネルクロック信号を生成する。このため、チャネルクロック信号が安定していない状態ではウォブル信号を安定して取り込めないため、ＰＬＬの整定時間が長くなるという問題があった。
【０００５】
本発明は、上記のような問題を解決するためになされたものであり、ウォブル信号又はランドプリピット信号の状態に応じてチャネルクロック信号の生成方法を選択することにより、より精度の高いチャネルクロック信号を生成することができ、ウォブル信号又はランドプリピット信号が安定しない場合には、外部より入力された基準信号からチャネルクロック信号を生成することにより動作を安定させ、チャネルクロック信号を得るために必要な整定時間を短くすることができる光ディスク記録装置を得ることを目的とする。
【０００６】
【課題を解決するための手段】
この発明に係る光ディスク記録装置は、光ディスクにデータの記録を行う際のデータ書き込みタイミングを得るために使用する書き込み用基準クロック信号を生成するクロック信号生成部を備えた、データ書き込み可能な光ディスクに対して角速度一定方式で情報の記録を行う光ディスク記録装置において、
上記クロック信号生成部は、
入力された制御電圧に応じた周波数の前記書き込み用基準クロック信号を生成して出力する電圧制御発振部と、
外部から入力された所定の基準クロック信号を分周した信号と、前記書き込み用基準クロック信号を分周した信号との位相及び周波数を比較し、該比較結果を示す第１の誤差信号を出力する第１の比較部と、
前記光ディスクにあらかじめ記録されているウォブル信号と、前記書き込み用基準クロック信号を分周した信号との位相及び周波数を比較し、該比較結果を示す第２の誤差信号及び周波数差を示す第１の周波数差信号をそれぞれ出力する第２の比較部と、
光ディスクの種類に応じて、前記ウォブル信号又は前記光ディスクにあらかじめ記録されている信号と、前記書き込み用基準クロック信号を分周した信号との位相及び周波数を比較し、該比較結果を示す第３の誤差信号及び周波数差を示す第２の周波数差信号をそれぞれ出力する第３の比較部と、
入力された制御信号に応じて、前記第１から第３の各比較部からの第１から第３の各誤差信号のいずれか１つを選択して排他的に出力する選択回路部と、
該選択回路部の出力信号から前記制御電圧を生成して電圧制御発振部に出力する制御電圧生成部と、
前記第１及び第２の各周波数差信号に応じて該選択回路部の動作制御を行う制御回路部と、
を備えるものである。
【０００７】
具体的には、前記制御回路部は、動作開始時の初期動作として、選択回路部に対して所定の時間ｔ０の間、前記第１の誤差信号を選択して排他的に出力させるようにした。
【０００８】
また、前記制御回路部は、動作開始時から所定の時間ｔ０が経過すると、前記選択回路部に対して前記第２の誤差信号を選択して排他的に出力させるようにした。
【０００９】
一方、前記制御回路部は、前記第２の比較部からの第１の周波数差信号が示す周波数差が所定値α以下になると、前記選択回路部に対して前記第３の誤差信号を選択して排他的に出力させるようにしてもよい。
【００１０】
この場合、前記制御回路部は、前記第３の比較部からの第２の周波数差信号が示す周波数差が前記設定値αよりも小さい所定の設定値β以上になると、前記選択回路部に対して前記第２の誤差信号を選択して排他的に出力させるようにしてもよい。
【００１１】
また、前記制御回路部は、光ディスクヘのデータ記録時におけるトラッキングを検出し、動作開始時から所定の時間ｔ０経過後、トラッキングが外れている状態を検出すると、前記選択回路部に対して所定の時間ｔ１の間、誤差信号の出力を停止させるようにしてもよい。
【００１２】
この場合、前記制御回路部は、前記所定の時間ｔ１経過後、前記選択回路部に対して前記第１の誤差信号を選択して排他的に出力させるようにしてもよい。
【００１３】
また、前記制御回路部は、前記所定の時間ｔ１以内にトラッキング状態になると、前記選択回路部に対して前記第２の誤差信号を選択して排他的に出力させるようにしてもよい。
【００１４】
【発明の実施の形態】
次に、図面に示す実施の形態に基づいて、本発明を詳細に説明する。
第１の実施の形態．
図１は、本発明の第１の実施の形態における光ディスク記録装置の概略の構成例を示したブロック図である。
図１において、光ディスク記録装置１は、ＣＤ−Ｒ／ＲＷ、ＤＶＤ＋ＲＷ／＋Ｒ及びＤＶＤ−Ｒ／ＲＷの光ディスク２へのデータ記録を行うものであり、光ディスク２をスピンドルモータ３で回転駆動させる。スピンドルモータ３は、モータドライバ４とサーボ回路５によって回転制御される。
【００１５】
光ディスク２に対してデータの読み出し及び書き込みを行う光ピックアップ６は、半導体レーザ、光学系、フォーカスアクチュエータ、トラックアクチュエータ、受光素子、及びポジションセンサ等（図示せず）を内蔵しており、レーザ光を光ディスク２に照射してデータの読み出し及び書き込みを行う。
【００１６】
光ディスク２上のデータを読み出す、いわゆるデータ再生を行う場合、光ピックアップ６によって読み出された再生信号は、リードアンプ７で増幅され２値化される。第１デコーダ８は、リードアンプ７で増幅され２値化されたデータに対して、ＣＤフォーマットの場合はＥＦＭ復調及びＣＩＲＣ演算（デインタリーブ、エラー訂正等）を行い、ＤＶＤフォーマットの場合は８−１６復調を行ってデコードし、該デコードしたデータが音楽用データの場合は、Ｄ／Ａコンバータ９でＤ／Ａ変換されオーディオ信号として出力される。
【００１７】
また、第１デコーダ８は、デコードした音楽用データ及びパソコン用データを第２デコーダ１０に出力する。第２デコーダ１０は、入力されたデータをバッファマネージャ１１を介して随時バッファＲＡＭ１２に格納すると共に、更にデータの信頼性を高めるために、該格納されたデータに対してエラー訂正処理を行う。このような場合においても、バッファＲＡＭ１２に格納されたデータの読み出し、及びエラー訂正によるデータの書き戻しによるバッファＲＡＭ１２とのデータの受け渡しは、バッファマネージャ１１を介して行われる。
【００１８】
第２デコーダ１０によってエラー訂正処理が終了したデータは、バッファマネージャ１１を介して読み出され、ホストインタフェース１３を介して外部のホストコンピュータＨＣへ転送される。ホストインタフェース１３は、ホストコンピュータＨＣとの間のインタフェースを行うものであり、例えば、ＡＴＡＰＩ又はＳＣＳＩ等の規格に準拠している。
【００１９】
光ディスク２上にデータを書き込む、いわゆるデータ記録を行う場合、光ピックアップ６によって光ディスク２上のウォブル（Ｗｏｂｂｌｅ）信号が読み出され、該ウォブル信号は第３デコーダ１４に入力される。第３デコーダ１４は、入力されたウォブル信号から、同期信号、時間情報及びＩＤ情報を復調生成して第２エンコーダ１７に出力する。ライトクロックジェネレータ１５は、基準信号となる所定のシステムクロック信号ＣＬＫが外部から入力されると共に、光ディスク２がＣＤ−Ｒ／ＲＷ及びＤＶＤ＋ＲＷ／＋Ｒの場合、リードアンプ７からウォブル信号ＷＯＢが、光ディスク２がＤＶＤ−Ｒ／ＲＷの場合、リードアンプ７からウォブル信号ＷＯＢ及びランドプリピット（Ｌａｎｄ  Ｐｒｅ−ｐｉｔ）信号ＬＰＰがそれぞれ入力される。
【００２０】
ライトクロックジェネレータ１５は、入力されたシステムクロック信号ＣＬＫ、ウォブル信号ＷＯＢ及びランドプリピット信号ＬＰＰから、光ディスク２へのデータ書き込みスピードに応じたチャネルクロック信号を生成して第２エンコーダ１７に出力する。また、第２エンコーダ１７は、第３デコーダ１４から得られる情報より光ディスク２の正確な位置からの書き込みを可能にしている。なお、ライトクロックジェネレータ１５はクロック信号生成部をなし、チャネルクロック信号は書き込み用基準クロック信号をなす。また、ランドプリピット信号ＬＰＰは、光ディスクにあらかじめ記録されている信号をなす。
【００２１】
しかし、光ディスク２への追記等で、光ディスク２のすでにデータが書き込まれた領域の後にデータ書き込みを行う場合、ウォブル信号ＷＯＢの品質が悪く第３デコーダ１４で正確な同期信号、時間情報及びＩＤ情報を生成することができない場合がある。しかし、光ディスク２の記録済み部分には、例えばＣＤフォーマットの場合、同期信号をなすサブコードシンクと共にサブコードデータが記録されており、このようなサブコードシンク、サブコードデータ、ＩＤ情報から書き込み位置の位置合わせを行うことができる。
【００２２】
光ディスク２への書き込み用データは、ホストコンピュータＨＣからバッファマネージャ１１を介してバッファＲＡＭ１２へ転送される。第１エンコーダ１６は、バッファマネージャ１１を介してバッファＲＡＭ１２のデータを読み出し、エラー訂正コード、ＥＤＣコード、ＳＹＮＣコード、ヘッダ情報、ＩＤ情報等を付加して、バッファＲＡＭ１２へ書き戻す。
【００２３】
また、第１エンコーダ１６は、準備されたデータをバッファマネージャ１１を介してバッファＲＡＭ１２から読み出し、ＣＤフォーマットの場合は第２エンコーダ１７内のＣＩＲＣ演算用ＲＡＭ（図示せず）に書き込む。第２エンコーダ１７は、ＣＤフォーマットの場合はＣＩＲＣ演算用ＲＡＭ内のデータをＣＩＲＣ演算し、エラー訂正コードの付加やインタリーブを行って、演算を終えたデータを更にＥＦＭ変調して出力し、ＤＶＤフォーマットの場合は８−１６変調して出力する。第２エンコーダ１７から出力されたデータは、レーザコントロール回路１８、光ピックアップ６を介して、光ディスク２に記録される。
【００２４】
第１デコーダ８、第２デコーダ１０、ホストインタフェース１３、第３デコーダ１４、第１エンコーダ１６及び第２エンコーダ１７等は、ＣＰＵ２０によって動作制御される。ＣＰＵ２０は、データ再生又はデータ記録時において、データ再生又はデータ記録を行うために現在の状況を把握し、各種命令の発行等を行う。なお、図１では、ＣＰＵ２０との接続は省略して示している。
【００２５】
図２は、ライトクロックジェネレータ１５の構成例を示したブロック図である。
図２において、ライトクロックジェネレータ１５は、ＰＬＬ回路を構成しており、逓倍モード位相比較器３１、初期引き込みモード位相比較器３２、書き込みモード位相比較器３３、マルチプレクサ３４、チャージポンプ回路３５、ローパスフィルタ（以下、ＬＰＦと呼ぶ）３６、電圧制御発振器（以下、ＶＣＯと呼ぶ）３７、制御回路３８、可変分周器４０〜４２及びＦＭ成分除去回路４３で構成されている。また、書き込みモード位相比較器３３は、ＣＤ−Ｒ／ＲＷ位相比較器４４、ＤＶＤ＋ＲＷ／＋Ｒ位相比較器４５及びＤＶＤ−Ｒ／ＲＷ位相比較器４６で構成されている。
【００２６】
なお、逓倍モード位相比較器３１は第１の比較部を、初期引き込みモード位相比較器３２は第２の比較部を、書き込みモード位相比較器３３は第３の比較部をそれぞれなし、マルチプレクサ３４は選択回路部をそれぞれなす。また、チャージポンプ回路３５及びＬＰＦ３６は制御電圧生成部を、ＶＣＯ３７は電圧制御発振部を、制御回路３８は制御回路部をそれぞれなす。厳密に言えば、サーボ回路５及びＣＰＵ２０も制御回路部に含まれる。
【００２７】
逓倍モード位相比較器３１は、外部から入力された所定の基準クロック信号ＣＬＫを可変分周器４０で１／Ｎ分周した分周信号Ｓ１と、ＶＣＯ３７の出力信号であるチャネルクロック信号ＶＣＯＣＫを可変分周器４１で１／Ｍ分周した分周信号Ｓ２との位相及び周波数の比較を行い、該比較結果を示す誤差信号Ｓｏ１をマルチプレクサ３４に出力する。チャネルクロック信号ＶＣＯＣＫの周波数は、基準クロック信号ＣＬＫの周波数をＦｒとすると、Ｆｒ×Ｍ／Ｎで算出され、可変分周器４０及び４１の各分周比は記録スピードに応じて定められる。
【００２８】
初期引き込みモード位相比較器３２は、記録対象となるメディア、すなわち光ディスク２から検出したウォブル信号ＷＯＢと、ＶＣＯ３７からのチャネルクロック信号ＶＣＯＣＫを可変分周器４２で分周した分周信号Ｓ３との位相及び周波数の比較を行い、該比較結果を示す誤差信号Ｓｏ２をマルチプレクサ３４に出力する。同時に、ウォブル信号ＷＯＢと、分周信号Ｓ３との周波数差を示す周波数差信号Ｓｆ２を制御回路３８に出力する。可変分周器４２の分周比は、記録対象となる光ディスク２のメディアに応じて定められる。
【００２９】
書き込みモード位相比較器３３は、制御回路３８から入力される選択信号Ｓｃ２に応じてＣＤ−Ｒ／ＲＷ位相比較器４４、ＤＶＤ＋ＲＷ／＋Ｒ位相比較器４５及びＤＶＤ−Ｒ／ＲＷ位相比較器４６のいずれか１つを排他的に作動させる。このことによって、書き込みモード位相比較器３３は、記録対象となる光ディスク２のメディアにより位相比較対象を切り換えて位相及び周波数の比較を行い、該比較結果を示す誤差信号Ｓｏ３をマルチプレクサ３４に出力すると共に、周波数差を示す周波数差信号Ｓｆ３を制御回路３８に出力する。なお、誤差信号Ｓｏ１は第１の誤差信号を、誤差信号Ｓｏ２は第２の誤差信号を、誤差信号Ｓｏ３は第３の誤差信号をそれぞれなし、周波数差信号Ｓｆ２は第１の周波数差信号を、周波数差信号Ｓｆ３は第２の周波数差信号をそれぞれなす。
【００３０】
具体的には、ＣＤ−Ｒ／ＲＷにおけるウォブル信号ＷＯＢはＦＭ変調されているため、ＣＤ−Ｒ／ＲＷ位相比較器４４では、ＦＭ成分除去回路４３でウォブル信号ＷＯＢからＦＭ変調成分を除去した信号Ｓ４と、ＶＣＯ３７からのチャネルクロック信号ＶＣＯＣＫを可変分周器４２で分周した分周信号Ｓ３との位相及び周波数の比較を行い、該比較結果を誤差信号Ｓｏ３としてマルチプレクサ３４に出力する。同時に、ＣＤ−Ｒ／ＲＷ位相比較器４４は、信号Ｓ４と分周信号Ｓ３との周波数差を示す信号を生成し、該生成した信号を前記周波数差信号Ｓｆ３として制御回路３８に出力する。
【００３１】
ＤＶＤ＋ＲＷ／＋Ｒ位相比較器４５では、ウォブル信号ＷＯＢと分周信号Ｓ３との位相及び周波数の比較を行い、該比較結果を誤差信号Ｓｏ３としてマルチプレクサ３４に出力する。同時に、ＤＶＤ＋ＲＷ／＋Ｒ位相比較器４５は、ウォブル信号ＷＯＢと分周信号Ｓ３との周波数差を示す信号を生成し、該生成した信号を前記周波数差信号Ｓｆ３として制御回路３８に出力する。また、ＤＶＤ−Ｒ／ＲＷ位相比較器４６では、ランドプリピット信号ＬＰＰと分周信号Ｓ３との位相及び周波数の比較を行い、該比較結果を誤差信号Ｓｏ３としてマルチプレクサ３４に出力する。同時に、ＤＶＤ−Ｒ／ＲＷ位相比較器４６は、ランドプリピット信号ＬＰＰと分周信号Ｓ３との周波数差を示す信号を生成し、該生成した信号を前記周波数差信号Ｓｆ３として制御回路３８に出力する。
【００３２】
マルチプレクサ３４では、記録対象となる光ディスク２のメディアや、動作モードに応じて制御回路３８から入力される制御信号Ｓｃ１に応じて、入力された各誤差信号Ｓｏ１〜Ｓｏ３のいずれか１つを選択して排他的にチャージポンプ回路３５へ出力する。チャージポンプ回路３５からの出力信号は、ＬＰＦ３６で平滑されて制御電圧としてＶＣＯ３７へ出力される。ＶＣＯ３７は、入力された制御電圧に応じた周波数のチャネルクロック信号ＶＣＯＣＫを生成し、光ディスク２への書き込み制御に使用するチャネルクロック信号として出力する。なお、ＶＣＯ３７の出力信号ＶＣＯＣＫを可変分周器で分周し、該分周して得られた信号を光ディスク２への書き込み制御に使用するチャネルクロック信号として出力するようにしてもよい。また、制御回路３８は、状況に応じて、制御信号Ｓｃ１を用いてマルチプレクサ３４の信号出力を停止させることができる。
【００３３】
制御回路３８は、図１のＣＰＵ２０から、光ディスク２へのデータ記録にＣＡＶ方式又はＣＬＶ方式のどちらを使用するかを示すＣＡＶ／ＣＬＶ選択信号Ｓｓ１、光ディスク２の種類を指定するメディア指定信号Ｓｍ、トラッキングが外れているか否かを示すトラッキング信号Ｓｔ、所定のエラー信号Ｓｅ及び所定のリセット動作の実行を示すリセット信号Ｓｒがそれぞれ入力される。制御回路３８は、ＣＡＶ／ＣＬＶ選択信号Ｓｓ１、トラッキング信号Ｓｔ、エラー信号Ｓｅ及びリセット信号Ｓｒから、前記制御信号Ｓｃ１を生成してマルチプレクサ３４に出力し、メディア指定信号Ｓｍに応じた選択信号Ｓｃ２を書き込みモード位相比較器３３に出力する。なお、トラッキング信号Ｓｔ及びエラー信号Ｓｅは、サーボ回路５から制御回路３８に入力される場合もあるが、図１では、サーボ回路５と制御回路３８との接続を省略している。
【００３４】
このような構成において、図３は、制御回路３８の動作例を示したフローチャートであり、図３を用いて制御回路３８の動作についてもう少し詳細に説明する。
図３において、制御回路３８は、ＣＰＵ２０からリセット信号Ｓｒがアサートされると、初期状態として逓倍モードの動作を行い、マルチプレクサ３４に対して逓倍モード位相比較器３１からの誤差信号Ｓｏ１を排他的にチャージポンプ回路３５に出力させる（ステップＳＴ１）。該逓倍モードは、ＣＬＶ方式での書き込み処理のように一定周波数のチャネルクロック信号が必要な場合や、ＣＡＶ方式での書き込み処理においては、初期引き込み、トラッキング外れ又はサーボ外れ等によって、ウォブル信号ＷＯＢ又はランドプリピット信号ＬＰＰが正常に得られない場合に、ＰＬＬが不安定になることを防ぐために用意されている。
【００３５】
次に、ＣＡＶ方式の場合、制御回路３８は、あらかじめ設定された時間ｔ０が経過し、かつトラッキング状態であるか否かを調べる（ステップＳＴ２）。時間ｔ０は、逓倍モードにおけるＰＬＬのロックタイムになるように設定する。ステップＳＴ２で、時間ｔ０が経過し、かつトラッキング状態である場合（ＹＥＳ）、制御回路３８は、初期引き込みモードの動作を行い、マルチプレクサ３４に対して初期引き込みモード位相比較器３２からの誤差信号Ｓｏ２を排他的にチャージポンプ回路３５に出力させる（ステップＳＴ３）。該初期引き込みモードでは、記録対象となる光ディスク２から検出したウォブル信号ＷＯＢに同期したチャネルクロック信号ＶＣＯＣＫを生成し、書き込み処理に必要なチャネルクロック信号を得る。また、ステップＳＴ２で、時間ｔ０が経過していないか又は時間ｔ０が経過した時点でトラッキング状態でない場合（ＮＯ）は、ステップＳＴ１に戻る。
【００３６】
次に、初期引き込みモードにおいて、制御回路３８は、トラッキング状態であるか否かを調べ（ステップＳＴ４）、トラッキング状態である場合（ＹＥＳ）、制御回路３８は、初期引き込みモード位相比較器３２から入力された周波数差信号Ｓｆ２を検出し、該周波数差信号Ｓｆ２が示す周波数差が所定の設定値α以下であるか否かを調べる（ステップＳＴ５）。該設定値αは、書き込みモードのキャプチャレンジ、引き込み速度を考慮して設定される。ステップＳＴ５で、周波数差が設定値α以下でない場合（ＮＯ）は、ステップＳＴ３に戻り、周波数差が設定値α以下である場合（ＹＥＳ）は、制御回路３８は、書き込みモードの動作を行い、マルチプレクサ３４に対して書き込みモード位相比較器３３からの誤差信号Ｓｏ３を排他的にチャージポンプ回路３５に出力させる（ステップＳＴ６）。
【００３７】
書き込みモードでは、書き込みモード位相比較器３３が、記録対象となる光ディスク２から検出したウォブル信号ＷＯＢ又はランドプリピット信号ＬＰＰと分周信号Ｓ３との位相及び周波数の比較を行って生成した誤差信号Ｓｏ３が、マルチプレクサ３４、チャージポンプ回路３５及びＬＰＦ３６を介してＶＣＯ３７へ出力され、チャネルクロック信号ＶＣＯＣＫが生成される。該書き込みモードでは、記録対象となる光ディスク２から検出したウォブル信号ＷＯＢ又はランドプリピット信号ＬＰＰに同期したチャネルクロック信号ＶＣＯＣＫを生成し、光ディスク２への書き込み処理に必要なチャネルクロック信号を得る。周波数をある程度まで引き込む初期引き込みモードに対して、書き込みモードでは、更に精度よく位相及び周波数を引き込み、実際の光ディスク２へのデータ書き込み用のチャネルクロック信号を生成する。
【００３８】
次に、書き込みモードにおいて、制御回路３８は、トラッキング状態であるか否かを調べ（ステップＳＴ７）、トラッキング状態である場合（ＹＥＳ）、制御回路３８は、書き込みモード位相比較器３３から入力された周波数差信号Ｓｆ３を検出し、該周波数差信号Ｓｆ３が示す周波数差が前記設定値αよりも小さい所定の設定値β以上であるか又は書き込み処理中に発生したスピンドル異常、トラッキング外れも含むサーボ異常、又は欠陥検出等の異常といったエラーが検出されたか否かを調べる（ステップＳＴ８）。
【００３９】
なお、周波数範囲を示す設定値βは、書き込み品質等、書き込み時に許容される周波数変動分に設定する。ステップＳＴ８で、周波数差が所定の設定値β以上であるか又は前記エラーが検出された場合（ＹＥＳ）はステップＳＴ３に戻り、周波数差が所定の設定値β以上でないか及び／又は前記エラーが検出されなかった場合（ＮＯ）はステップＳＴ６に戻る。
【００４０】
一方、ステップＳＴ４又はステップＳＴ７で、トラッキング状態でない場合（ＮＯ）、ホールドモードの動作を行い、マルチプレクサ３４に対してチャージポンプ回路３５への信号出力を停止させる（ステップＳＴ９）。ホールドモードは、ＰＬＬの周波数すなわちチャネルクロック信号ＶＣＯＣＫの周波数を保持するために用意されており、ホールドモード中は、チャージポンプ３５への誤差信号出力を停止する。
【００４１】
次に、ホールドモードにおいて、制御回路３８は、あらかじめ設定された時間ｔ１が経過したか否かを調べ（ステップＳＴ１０）、時間ｔ１が経過していない場合（ＮＯ）は、ステップＳＴ９に戻り、時間ｔ１が経過した場合は（ＹＥＳ）、ステップＳＴ１に戻る。時間ｔ１は、ＰＬＬループが周波数を保持できる期間に設定し、ショートトラックジャンプのように、次回の書き込み処理で必要なチャネルクロック信号の周波数変動が少ない場合には前の周波数から引き込むことで、ＰＬＬの引き込み速度を上げる目的で使用することができる。
【００４２】
初期状態から光ディスク２への書き込みが可能となる状態までの理想的な状態の推移は、ステップＳＴ１の逓倍モード、ステップＳＴ３の初期引き込みモード、そしてステップＳＴ６の書き込みモードの順であり、基本的な動作としては、トラッキング状態である場合はウォブル信号ＷＯＢ又はランドプリピット信号ＬＰＰが検出されるため、書き込みモードの動作を行う。一方、シーク中等でトラッキングが外れた場合には、ウォブル信号ＷＯＢ又はランドプリピット信号ＬＰＰが検出できないため、ＰＬＬが不安定にならないためにも逓倍モードに移行する。しかし、ショートトラックジャンプ等でトラッキングが外れる時間が短い場合は、ホールドモードにする方がＰＬＬの周波数の乱れが軽減されることから、ホールドモードへ移行する。
【００４３】
図３で示した遷移処理は、制御回路３８で制御され、各動作モードは、マニュアルでの設定も可能である。例えばマニュアルで初期引き込みモードまで設定した場合、初期引き込みモード以降を自動設定にすると、図３のステップＳＴ３の初期引き込みモードから遷移を開始することも可能である。
【００４４】
このように、本第１の実施の形態における光ディスク記録装置は、制御回路３８によって、逓倍モード位相比較器３１からの誤差信号Ｓｏ１、初期引き込みモード位相比較器３２からの誤差信号Ｓｏ２及び書き込みモード位相比較器３３からの誤差信号Ｓｏ３のチャージポンプ回路３５への出力を、ウォブル信号ＷＯＢ又はランドプリピット信号ＬＰＰの状態に応じて自動的に切り換えることにより、光ディスク２から検出されたウォブル信号又はランドプリピット信号ＬＰＰから安定したチャネルクロック信号を得るために必要な整定時間を短縮することができ、より精度の高い安定したチャネルクロック信号を生成することができる。
【００４５】
【発明の効果】
上記の説明から明らかなように、本発明の光ディスク記録装置によれば、第１から第３の各誤差信号を自動的に切り換えて出力することにより、記録対象メディアである光ディスクより検出されたウォブル信号から安定した書き込み用基準クロック信号を得るために必要な整定時間を短くすることができる。
【００４６】
また、ウォブル信号の状態に応じて第２及び第３の各誤差信号のいずれかを選択し、該選択した誤差信号から書き込み用基準クロック信号を生成するようにしたことにより、より精度の高い書き込み用基準クロック信号を生成することができ、ウォブル信号が安定しない場合には外部からの所定の基準クロック信号から書き込み用基準クロック信号を生成することにより光ディスクへの書き込み動作を安定させることができる。
【００４７】
また、光ディスクへのデータ書き込み開始時等でウォブル信号の状態が不安定である場合に、書き込み用基準クロック信号がウォブル信号の該不安定状態に追従してしまうことを防止でき、光ディスクへのデータ書き込み品質を向上させることができる。
【図面の簡単な説明】
【図１】本発明の第１の実施の形態における光ディスク記録装置の概略の構成例を示したブロック図である。
【図２】図１におけるライトクロックジェネレータ１５の構成例を示したブロック図である。
【図３】図２における制御回路３８の動作例を示したフローチャートである。
【符号の説明】
１  光ディスク記録装置
２  光ディスク
５  サーボ回路
６  光ピックアップ
７  リードアンプ
８  第１デコーダ
１４  第３デコーダ
１５  ライトクロックジェネレータ
１６  第１エンコーダ
２０  ＣＰＵ
３１  逓倍モード位相比較器
３２  初期引き込みモード位相比較器
３３  書き込みモード位相比較器
３４  マルチプレクサ
３５  チャージポンプ回路
３６  ＬＰＦ
３７  ＶＣＯ
３８  制御回路
４０〜４２  可変分周器
４３  ＦＭ成分除去回路
４４  ＣＤ−Ｒ／ＲＷ位相比較器
４５  ＤＶＤ＋ＲＷ／＋Ｒ位相比較器
４６  ＤＶＤ−Ｒ／ＲＷ位相比較器
【図１】
2004178743.tif 000003
【図２】
2004178743.tif 000004
【図３】
2004178743.tif 000005